(57)【要約】【課題】離着座が容易な回転スライドシートを提供する。【解決手段】スイベルアッパー３２に延設されたリアスライドレール３４と、中途部がスイベルアッパー３２に揺動可能に支持されたフロントスライドレール４３と、シート本体２を支持するシートレッグアッパー９１と、リアスライドレール３４に転動自在に支持されたリア転動ローラー１１２と、フロントスライドレール４３に転動自在に支持されたフロント転動ローラー１１１と、フロントスライドレール４３後端部の下方への変位を規制する後部ストッパー７２と、フロント転動ローラー１１１がフロントスライドレール４３の揺動中心点４５より前方に移動した際にフロントスライドレール４３前端部の下方へ変位を許容するとともに、フロントスライドレール４３の前端部が所定量下方へ変位した状態でさらなる下方への変位を規制する前部ストッパー７１とで構成する。【選択図】図１
2007261353.tif 000002
【特許請求の範囲】
【請求項１】
車体側に設けられたスイベルロアーにシート本体を支持するスイベルアッパーが回動自在に支持された回転スライドシートにおいて、
前記スイベルアッパーに延設されたリアスライドレールと、
前記リアスライドレールより前端部が前方へ延出した状態で中途部が前記スイベルアッパーに揺動可能に支持されたフロントスライドレールと、
該フロントスライドレール及び前記リアスライドレールにスライド自在に支持され、前記シート本体を支持するシートレッグアッパーと、
該シートレッグアッパーの後部に設けられ、前記リアスライドレールに転動自在に支持されたリア転動ローラーと、
前記シートレッグアッパーの前部に設けられ、前記フロントスライドレールに転動自在に支持されたフロント転動ローラーと、
該フロント転動ローラーが前記フロントスライドレールの揺動中心点より後方に移動した状態で前記フロントスライドレール後端部の下方への変位を規制する後部ストッパーと、
前記フロント転動ローラーが前記フロントスライドレールの前記揺動中心点より前方に移動した際に前記フロントスライドレール前端部の下方へ変位を許容するとともに、当該フロントスライドレールの前端部が所定量下方へ変位した状態でさらなる下方への変位を規制する前部ストッパーと、
を備えたことを特徴とする回転スライドシート。
【請求項２】
前記シート本体が前方へ向いた前向き状態において、前記フロントスライドレールの揺動を阻止する揺動防止手段を備えたことを特徴とする請求項１記載の回転スライドシート。
【請求項３】
請求項１又は請求項２の回転スライドシートにおいて、シート前向き状態では、前記フロントスライドレール及び前記リアスライドレールが前上がり傾斜となるように取り付ける一方、シート横向き時には、前記フロントスライドレールのみ前下がりに変位できるように揺動支持したことを特徴とする回転スライドシート。
【発明の詳細な説明】
【技術分野】
【０００１】
本発明は、車両に設けられたシート本体を支持する回転スライドシートに関する。
【背景技術】
【０００２】
従来、車両には、シートが設けられており、このシートにおいては、一般的に前端へ行くほど座面が高くなるように構成されている。
【発明の開示】
【発明が解決しようとする課題】
【０００３】
しかしながら、このようなシートを回転シートとして使用した場合、着座者がシートから地面に立ち上がる際に、臀部が沈み込んでいることから立ち上がり難いという問題があった。
【０００４】
また、座面前端の地上からの高さも高くなる傾向にあり、着座者の足が地面に届き難いとう問題があった。
【０００５】
本発明は、このような従来の課題に鑑みてなされたものであり、離着座が容易な回転スライドシートを提供することを目的とするものである。
【課題を解決するための手段】
【０００６】
前記課題を解決するために本発明の請求項１の回転スライドシートにあっては、車体側に設けられたスイベルロアーにシート本体を支持するスイベルアッパーが回動自在に支持された回転スライドシートにおいて、前記スイベルアッパーに延設されたリアスライドレールと、前記リアスライドレールより前端部が前方へ延出した状態で中途部が前記スイベルアッパーに揺動可能に支持されたフロントスライドレールと、該フロントスライドレール及び前記リアスライドレールにスライド自在に支持され、前記シート本体を支持するシートレッグアッパーと、該シートレッグアッパーの後部に設けられ、前記リアスライドレールに転動自在に支持されたリア転動ローラーと、前記シートレッグアッパーの前部に設けられ、前記フロントスライドレールに転動自在に支持されたフロント転動ローラーと、該フロント転動ローラーが前記フロントスライドレールの揺動中心点より後方に移動した状態で前記フロントスライドレール後端部の下方への変位を規制する後部ストッパーと、前記フロント転動ローラーが前記フロントスライドレールの前記揺動中心点より前方に移動した際に前記フロントスライドレール前端部の下方へ変位を許容するとともに、当該フロントスライドレールの前端部が所定量下方へ変位した状態でさらなる下方への変位を規制する前部ストッパーと、を備えている。
【０００７】
すなわち、スイベルロアーに対してスイベルアッパーを回動し、該スイベルアッパーに支持されたシート本体をドア開口部側へ向けた状態において、前記シートレッグアッパーを前記スイベルアッパーに対して前方へスライドする。
【０００８】
すると、シート本体を支持する前記シートレッグアッパーのフロント転動ローラー及びリア転動ローラーは、前記スイベルアッパーに設けられたフロントスライドレール及び前記リアスライドレールを転動して前端側へ移動する。
【０００９】
このとき、前記フロント転動ローラーが前記フロントスライドレールの揺動中心点より前方に移動した際には、その荷重が前記揺動中心点より前方側に加わり、前記フロントスライドレール前端部が下方に変位するとともに、その前端部が所定量下方へ変位した状態において、さらなる下方への変位が前部ストッパーによって規制される。
【００１０】
これにより、前記フロント転動ローラーが設けられた前記シートレッグアッパーの前端部が下方に変位するので、前記シートレッグアッパーに支持された前記シート本体は、車室外側へ移動しつつ、前下がり状態となる。
【００１１】
また、請求項２の回転スライドシートにおいては、前記シート本体が前方へ向いた前向き状態において、前記フロントスライドレールの揺動を阻止する揺動防止手段を備えている。
【００１２】
すなわち、前記シート本体を前方へ向けた前向き状態では、揺動防止手段によって前記フロントスライドレールの揺動が阻止される。
【００１３】
このため、前記前向き状態において、前記シートレッグアッパーの前記フロント転動ローラー及び前記リア転動ローラーを、前記スイベルアッパーに設けられた前記フロントスライドレール及び前記リアスライドレールに沿って前後に移動した場合であっても、当該シートレッグアッパーの傾倒が防止される。
【００１４】
さらに、請求項３の回転スライドシートでは、請求項１又は請求項２の回転スライドシートにおいて、シート前向き状態では、前記フロントスライドレール及び前記リアスライドレールが前上がり傾斜となるように取り付ける一方、シート横向き時には、前記フロントスライドレールのみ前下がりに変位できるように揺動支持した。
【００１５】
これにより、前記フロントスライドレール及び前記リアスライドレールが前上がりとなるシート前向き状態では、例えば座面の前端部を上げることができ、着座性を高めることができる。
【発明の効果】
【００１６】
以上説明したように本発明の請求項１の回転スライドシートにあっては、シート本体を支持するシートレッグアッパーをスイベルアッパーに対して前方へスライドすることにより、前記シートレッグアッパーに支持された前記シート本体を、車室外側へ移動しつつ、前下がりとすることができる。
【００１７】
これにより、前記シート本体の座面を前下がりにすることができるため、着座者のヒップポイントを上げ、当該シート本体からの立ち上がりを容易とすることができる。
【００１８】
また、座面前端の地上からの高さを低くすることができるため、着座者の地面への足つき性も向上することができる。
【００１９】
そして、前記シートレッグアッパーを、前下がりとなった前記フロントスライドレールで支持することができるため、前記シート本体を前方へ移動するに従って下降することもできる。
【００２０】
したがって、前記シート本体への離着座を容易とすることができる。
【００２１】
また、請求項２の回転スライドシートにおいては、前記シート本体を前方へ向けた前向き状態において、前記フロントスライドレールの揺動を阻止することができる。
【００２２】
このため、前記前向き状態において、前記シートレッグアッパーの前記フロント転動ローラー及び前記リア転動ローラーを、前記スイベルアッパーに設けられた前記フロントスライドレール及び前記リアスライドレールに沿って前後に移動した場合であっても、当該シートレッグアッパーの傾倒を防止することができる。
【００２３】
これにより、乗車時においては、シート本体を前後にスライドさせるスライダとして利用することができる。
【００２４】
さらに、請求項３の回転スライドシートでは、前記フロントスライドレール及び前記リアスライドレールが前上がりとなるシート前向き状態では、例えば座面の前端部を上げることができ、着座性を高めることができる。
【発明を実施するための最良の形態】
【００２５】
以下、本発明の一実施の形態を図に従って説明する。図１及び図２は、本実施の形態にかかる回転スライドシート１を示す図であり、該回転スライドシート１は、車両の助手席に設けられたシート本体２が車両前方ＦＲを向いた前向き状態と左方のドア開口部側を向いた横向き状態との間で回動するとともに、前記シート本体２を車室内位置と車室外位置との間で移動できるように構成されている。
【００２６】
すなわち、この回転スライドシート１は、下部を構成するスイベルロアー１１を備えており、該スイベルロアー１１が車体フロアｆに固定されるように構成されている。前記スイベルロアー１１は、車両前後方向に延在する左右のサイドメンバ１２，１２と、両サイドメンバ１２，１２の前端を連結する前部連結部１３と、前記両サイドメンバ１２，１２の中間部を連結するクロスメンバ１４とを備えている。
【００２７】
前記前部連結部１３には、コ字状のフロントスライドレール位置決めストライカ２１が設けられており、該フロントスライドレール位置決めストライカ２１は、車両後方ＲＲへ向けて突出している。前記クロスメンバ１４の左端部には、ベアリング取付部２２が設定されており、該ベアリング取付部２２には、回転ベアリング２３のインナーレース２４が固定されるように構成されている。
【００２８】
前記回転ベアリング２３のアウターレース３１には、シート側を構成するスイベルアッパー３２が固定されており、当該スイベルアッパー３２は、前記スイベルロアー１１を介して前記車体フロアｆに回動自在に支持されている。このスイベルアッパー３２の両縁には、起立壁３３，３３が形成されており、各起立壁３３，３３の内側面には、リアスライドレール３４，３４が水平に固定されている。各リアスライドレール３４，３４は、内方へ向けて開口した断面コ字状に形成されており、各リアスライドレール３４，３４は、前記起立壁３３，３３の前後方向全域に渡って延設されている。
【００２９】
前記スイベルアッパー３２の前端部中央には、一対のフロントスライドレール揺動中心ブラケット４１，４１が離間して立設されており、各フロントスライドレール揺動中心ブラケット４１，４１の上端部には、支持穴４２，４２が設けられている。各フロントスライドレール揺動中心ブラケット４１，４１の前記支持穴４２，４２には、フロントスライドレール４３，４３に突設された揺動軸４４，４４が回動自在に挿入されるように構成されており、前記各フロントスライドレール４３，４３は、前記各フロントスライドレール揺動中心ブラケット４１，４１を介して前記スイベルアッパー３２に支持されるとともに、前記揺動軸４４，４４を揺動中心点４５（図２参照）として揺動自在に支持されている。
【００３０】
前記各フロントスライドレール４３，４３も断面コ字状に形成されており、各フロントスライドレール４３，４３は、側方へ向けて開口するように取り付けられている。また、前記各フロントスライドレール４３，４３は、その前端部が前記リアスライドレール３４，３４より前方へ延出した状態で、その中途部が前記各フロントスライドレール揺動中心ブラケット４１，４１を介して前記スイベルアッパー３２に揺動可能に支持されている。
【００３１】
前記両フロントスライドレール４３，４３の下面には、内側へ向けて延出する固定ブラケット５１，５１が前記揺動軸４４，４４より前端側の部位に設けられており、両固定ブラケット５１，５１には、フロントスライドレール位置決め用フックプレート５２が固定されるように構成されている。
【００３２】
該フロントスライドレール位置決め用フックプレート５２には、右方へ向けた開口したラッチ溝６１が形成されており、横向き状態の前記スイベルアッパー３２を前向き状態に回動した際に、前記フロントスライドレール位置決め用フックプレート５２の前記ラッチ溝６１と前記スイベルロアー１１に設けられた前記フロントスライドレール位置決めストライカ２１とが係合するように構成されている。
【００３３】
これにより、前記フロントスライドレール位置決め用フックプレート５２と前記フロントスライドレール位置決めストライカ２１とによって、前記スイベルアッパー３２に支持される前記シート本体２を前方へ向けた前記前向き状態において、前記フロントスライドレール４３，４３の揺動を阻止する揺動防止手段が構成されている。
【００３４】
前記スイベルアッパー３２の前端部には、前記フロントスライドレール揺動中心ブラケット４１の両脇に、前部ストッパー７１，７１及び後部ストッパー７２，７２が設けられており、前記前部ストッパー７１，７１は前記後部ストッパー７２，７２より前方側に配置されている。
【００３５】
この後部ストッパー７２，７２は、前記フロントスライドレール４３，４３を水平に維持した状態で、当該フロントスライドレール７３，７３の下面に当接する高さ寸法に設定されており、当該フロントスライドレール７３，７３を下方から支持して当該フロントスライドレール７３，７３後端部の下方への下方を規制するように構成されている。
【００３６】
また、前記前部ストッパー７１，７１は、水平に維持された前記フロントスライドレール４３，４３の前端部の下方へ変位を許容するとともに、当該フロントスライドレール４３，４３の前端部が所定量下方へ変位した状態で当該フロントスライドレール４３，４３の下面に当接する高さ寸法に設定されており、この状態で前記フロントスライドレール４３，４３を下方から支持することによって、当該フロントスライドレール４３，４３前端部のさらなる下方への変位を規制できるように構成されている。
【００３７】
前記スイベルアッパー３２の後端部中央には、一対の固定ブラケット８１，８１が立設されており、両固定ブラケット８１，８１間には、スライドモータ８２のギアボックス８３が固定されるように構成されている。前記ギアボックス８３からは、前記スイベルアッパー３２の前方へ向けてスライドスクリュー８４が延出しており、該スライドスクリュー８４には、スライドナット８５が螺合している。
【００３８】
前記両フロントスライドレール４３，４３及び前記リアスライドレール３４，３４には、シートレッグアッパー９１がスライド可能に支持されている。
【００３９】
このシートレッグアッパー９１は、前記シート本体２が固定される矩形状の固定面１０１を中心に構成されており、該固定面１０１の左側縁には、下方へ向けて延出する左壁面１０２が設けられている。また、前記固定面１０１の右側縁には、下方に延出する右壁面１０３が設けられており、両壁面１０２，１０３の後部は、さらに下方に延出した下方延出部１０４，１０４が形成されている。
【００４０】
前記両壁面１０２，１０３における前端部の内側面には、フロント転動ローラー１１１，１１１が回転自在に支持されており、各フロント転動ローラー１１１，１１１は、対応する前記フロントスライドレール４３，４３内に配置された状態で転動自在に保持されるように構成されている。また、前記両壁面１０２，１０３の後部に形成された前記下方延出部１０４，１０４の下部における外側面には、リア転動ローラー１１２，１１２が回転自在に支持されており、各リア転動ローラー１１２，１１２は、対応する前記リアスライドレール３４，３４内に配置された状態で転動自在に保持されるように構成されている。
【００４１】
これにより、前記シートレッグアッパー９１は、前記フロントスライドレール４３，４３及び前記リアスライドレール３４，３４を介して前記スイベルアッパー３２にスライド自在に支持されており、当該シートレッグアッパー９１に支持された前記シート本体２を、前記各スライドレール３４，３４，４３，４３に沿って移動できるように構成されている。
【００４２】
また、前記シートレッグアッパー９１に加えられた荷重は、前記リア転動ローラー１１２，１１２を介して前記リアスライドレール３４，３４に入力されるとともに、前記フロント転動ローラー１１１，１１１を介して前記フロントスライドレール４３，４３に入力されるように構成されている。これにより、前記フロント転動ローラー１１１，１１１が前記フロントスライドレール４３，４３の前記揺動軸４４，４４が構成する前記揺動中心点４５より前方に移動した際には、前記フロントスライドレール４３，４３前端部が下方へ変位するとともに、所定量下方へ変位した状態で前記フロントスライドレール４３，４３の下面が前部ストッパー７１，７１に当接し支持されるように構成されている。
【００４３】
そして、前記シートレッグアッパー９１の前記固定面１０１の中央部には、下方に延出する一対の下方延出ブラケット１２１，１２１が設けられており、両下方延出ブラケット１２１，１２１間には、前記スライドスクリュー８４に螺合した前記スライドナット８５が固定されている。これにより、前記スライドモータ８２で前記スライドスクリュー８４を回動し、該スライドスクリュー８４の長さ方向に前記スライドナット８５をスライドすることにより、該スライドナット８５に固定された前記シートレッグアッパー９１を前記シート本体２と共にスライドできるように構成されている。
【００４４】
以上の構成にかかる本実施の形態において、図３に示すように、シート本体２を車両前方ＦＲへ向けた前向き状態１５１では、フロントスライドレール４３，４３に固定されたフロントスライドレール位置決め用フックプレート５２と、スイベルロアー１１に設けられた前記フロントスライドレール位置決めストライカ２１とが係合しており、スイベルアッパー３２のフロントスライドレール揺動中心ブラケット４１，４１に支持された前記フロントスライドレール４３，４３の揺動を阻止することができる。
【００４５】
このため、前記前向き状態１５１において、前記シートレッグアッパー９１を前方へスライドし、前記シートレッグアッパー９１に設けられた前記フロント転動ローラー１１１，１１１及びリア転動ローラー１１２，１１２を、前記スイベルアッパー３２に設けられた前記フロントスライドレール４３，４３及び前記リアスライドレール３４，３４に沿って前後に移動した場合であっても、当該シートレッグアッパー９１の傾倒を防止することができる。
【００４６】
これにより、前記前向き状態１５１とされる乗車時においては、前記スライドモータ８２によって前記シート本体２を前後にスライドするシートスライド装置として利用することができ、前記シート本体２を、図４に示す最前位置１６１から図５に示す最後位置１６２までの全域でスライドすることができる。
【００４７】
次に、前記シート本体２をドア開口部から車室外へ延出する際には、図６に示すように、前記シート本体２を後方へ移動した状態で、前記スイベルロアー１１に対して前記スイベルアッパー３２をドア開口部１７１側へ向けて回動し、該スイベルアッパー３２に支持されたシート本体２をドア開口部側へ向けた横向き状態１７２とする。この状態において、前記シートレッグアッパー９１を前記スイベルアッパー３２に対して前方へスライドする。
【００４８】
すると、前記シート本体２を支持する前記シートレッグアッパー９１の前記フロント転動ローラー１１１，１１１及びリア転動ローラー１１２，１１２は、前記スイベルアッパー３２に設けられたフロントスライドレール４３，４３及び前記リアスライドレール３４，３４を転動して前端側へ移動する。
【００４９】
このとき、前記フロント転動ローラー１１１，１１１が前記フロントスライドレール４３，４３の揺動中心点４５より前方に移動した際には、その荷重が前記揺動中心点４５より前方側に加わり、前記フロントスライドレール４３，４３の前端部が下方に変位するとともに、その前端部が所定量下方へ変位した状態において、さらなる下方への変位が前部ストッパー７１，７１によって規制される。
【００５０】
これにより、前記フロント転動ローラー１１１，１１１が設けられた前記シートレッグアッパー９１の前端部が、図７に示すように、下方に変位するので、前記シートレッグアッパー９１に支持された前記シート本体２を、車室外側へ移動しつつ、前下がり状態１８１とすることができる。
【００５１】
これにより、前記シート本体２のシートクッション１９１の座面１９２を前下がりにすることができるため、着座者１９３のヒップポイント１９４を上げ、当該シート本体２からの立ち上がりを容易とすることができる。
【００５２】
また、座面１９２前端の路面２０１からの高さを低くすることができるため、着座者１９３の路面２０１への足つき性も向上することができる。
【００５３】
そして、前記シートレッグアッパー９１を、前下がりとなった前記フロントスライドレール４３，４３で支持することができるため、前記シート本体２を前方へ移動するに従って下降することもできる。
【００５４】
したがって、前記シート本体２への離着座を容易とすることができる。
【００５５】
なお、本実施の形態にあっては、前記リアスライドレール３４，３４を前記スイベルアッパー３２に水平に固定するとともに、通常状態において前記フロントスライドレール４３，４３を前記後部ストパー７２，７２で支持された状態で、前記フロントスライドレール４３，４３が前記スイベルアッパー３２に対して水平とになるように構成したが、これに限定されるものでは無い。
【００５６】
すなわち、図８に示すように、前記リアスライドレール３４，３４を前記スイベルアッパー３２に対して前上がりとなるように固定するとともに、通常状態において前記フロントスライドレール４３，４３が前記後部ストパー７２，７２で支持された状態で、前記フロントスライドレール４３，４３が前記スイベルアッパー３２に対して前上がりとなるように構成しても良い。
【００５７】
この場合、図９に示すように、シート本体２を前記横向き状態１７２とし、図１０に示すように、シート本体２を前方にスライドした際に、前述と同様に前下がり状態１８１を形成することができる。
【００５８】
これにより、前述と同様の効果を得ることができる。
【００５９】
一方、前記フロントスライドレール４３，４３及び前記リアスライドレール３４，３４が前記スイベルアッパー３２に対して前上がりとなる通常時には、座面の前端部を上げ、着座性を高めることができる。
【図面の簡単な説明】
【００６０】
【図１】本発明の一実施の形態を示す分解斜視図である。
【図２】同実施の形態を示す側面図である。
【図３】同実施の形態のシート本体を前向きにした状態を示す側面図である。
【図４】同実施の形態のシート本体を最前端まで移動した状態を示す側面図である。
【図５】同実施の形態のシート本体を最後端まで移動した状態を示す側面図である。
【図６】同実施の形態のシート本体を横向きにした状態を示す側面図である。
【図７】同実施の形態のシート本体を横向きにして最前端まで移動した状態を示す側面図である。
【図８】他の実施の形態を示す側面図である。
【図９】同実施の形態のシート本体を横向きにした状態を示す側面図である。
【図１０】同実施の形態のシート本体を横向きにして最前端まで移動した状態を示す側面図である。
【符号の説明】
【００６１】
１    回転スライドシート
２    シート本体
１１    スイベルロアー
２１    フロントスライドレール位置決め用ストライカー
２３    回転ベアリング
３２    スイベルアッパー
３４    リアスライドレール
４３    フロントスライドレール
４５    揺動中心点
５２    フロントスライドレール位置決め用フックプレート
７１    前部ストッパー
７２    後部ストッパー
８２    スライドモータ
９１    シートレッグアッパー
１１１    フロント転動ローラー
１１２    リア転動ローラー
【図１】
2007261353.tif 000003
【図２】
2007261353.tif 000004
【図３】
2007261353.tif 000005
【図４】
2007261353.tif 000006
【図５】
2007261353.tif 000007
【図６】
2007261353.tif 000008
【図７】
2007261353.tif 000009
【図８】
2007261353.tif 000010
【図９】
2007261353.tif 000011
【図１０】
2007261353.tif 000012